(57)【特許請求の範囲】
【請求項１】
原子炉圧力容器の内部に設置され、炉心で発生した気液二相流を前記原子炉圧力容器の上方へ導く複数の流路から成り、各々の前記流路は、最下部がチムニ格子板により支持されている複数の流路隔壁により区画されて形成されると共に、隣接する前記流路の流路隔壁間には、互いに水平方向の荷重を支持し合うチムニスペーサが設置され、かつ、前記チムニ格子板に支持されている複数の前記流路の最外周には、水平方向の荷重を支持するリング状部材が、前記チムニ格子板の上方に所定間隔をもって複数個設置されていることを特徴とする自然循環式沸騰水型原子炉のチムニ。
【請求項２】
請求項１に記載の自然循環式沸騰水型原子炉のチムニにおいて、
複数の前記流路は、複数の前記流路隔壁により区画された断面矩形の角管で形成されると共に、それぞれが前後左右方向に対して１つ置きに配置され、かつ、隣接する前記角管の流路隔壁間の角部に断面十字形の前記チムニスペーサが設置されていることを特徴とする自然循環式沸騰水型原子炉のチムニ。
【請求項３】
請求項１に記載の自然循環式沸騰水型原子炉のチムニにおいて、
複数の前記流路は、複数の前記流路隔壁により区画された断面矩形の角管で形成されると共に、それぞれが前後左右方向に対して１つ置きに配置され、かつ、隣接する前記角管の流路隔壁間の角部に断面長方形の前記チムニスペーサが設置されていることを特徴とする自然循環式沸騰水型原子炉のチムニ。
【請求項４】
請求項１乃至３のいずれか１項に記載の自然循環式沸騰水型原子炉のチムニにおいて、
前記チムニスペーサは、軸方向に所定の間隔をもって複数個設置されていることを特徴とする自然循環式沸騰水型原子炉のチムニ。
【請求項５】
請求項１乃至４のいずれか１項に記載の自然循環式沸騰水型原子炉のチムニにおいて、
前記チムニスペーサは、前記リング状部材と同一平面上に設置されていることを特徴とする自然循環式沸騰水型原子炉のチムニ。
【請求項６】
請求項１乃至５のいずれか１項に記載の自然循環式沸騰水型原子炉のチムニにおいて、
複数の前記流路隔壁のうち、最外周に設置されて前記リング状部材に支持される部分が切断され、該流路隔壁の切断端部がチムニサボートプレートを介して前記リング状部材に支持されていることを特徴とする自然循環式沸騰水型原子炉のチムニ。
【請求項７】
請求項１に記載の自然循環式沸騰水型原子炉のチムニにおいて、
複数の前記流路隔壁がチムニプレートにより形成され、複数の前記流路は、前記チムニプレートにより区画された断面矩形に形成され、かつ、隣接する前記チムニプレート間の角部に断面十字形の前記チムニスペーサが設置されていることを特徴とする自然循環式沸騰水型原子炉のチムニ。
【請求項８】
請求項７に記載の自然循環式沸騰水型原子炉のチムニにおいて、
複数の前記流路を形成する前記チムニプレートのうち、最外周に位置して前記リング状部材に支持される部分が切断され、該チムニプレートの切断端部がチムニサポートプレートを介して前記リング状部材に支持されていることを特徴とする自然循環式沸騰水型原子炉のチムニ。
【請求項９】
請求項７又は８に記載の自然循環式沸騰水型原子炉のチムニにおいて、
前記リング状部材は、前記チムニ格子板の上方に所定間隔をもって複数個設置されていることを特徴とする自然循環式沸騰水型原子炉のチムニ。
【請求項１０】
請求項７乃至９のいずれか１項に記載の自然循環式沸騰水型原子炉のチムニにおいて、
前記チムニスペーサは、前記リング状部材と同一平面上にのみ設置されていることを特徴とする自然循環式沸騰水型原子炉のチムニ。
【請求項１１】
請求項１乃至１０のいずれか１項に記載の自然循環式沸騰水型原子炉のチムニにおいて、
前記リング状部材は、その上下方向に貫通して設けられた複数の孔部を有し、該孔部にチムニロッドが差込まれ、そのチムニロッドの下端が、下方に設置されている前記チムニ格子板に締結されることで固定されていることを特徴とする自然循環式沸騰水型原子炉のチムニ。
【請求項１２】
原子炉圧力容器と、該原子炉圧力容器内に設置され、複数の燃料集合体が装荷されている炉心と、該炉心の周囲を囲う炉心シュラウドと、前記炉心の上部を構成する格子板と、該格子板上に立設されているチムニと、該チムニの上部に設置された気水分離器と、該気水分離器の上部に設置された蒸気乾燥器とを備え、
前記チムニは、請求項１乃至１１のいずれか１項に記載の自然循環式沸騰水型原子炉のチムニであることを特徴とする自然循環式沸騰水型原子炉。
【発明の詳細な説明】
【技術分野】
【０００１】
本発明は自然循環式沸騰水型原子炉及びそのチムニに係り、特に、再循環ポンプを用いないで自然循環によって原子炉内の冷却材を駆動する方式であって、原子炉圧力容器内における冷却材の自然循環を促進するチムニを備えているものに好適な自然循環式沸騰水型原子炉及びそのチムニに関する。
【背景技術】
【０００２】
通常、自然循環式沸騰水型原子炉では、原子炉圧力容器の内部で炉心上方に配置されたチムニを備えている（例えば、特許文献１参照）。このチムニは、炉心側から気液二相流となって送り出される冷却材を原子炉圧力容器の上方に導くことによって、原子炉圧力容器内における冷却材の自然循環を促進するものである。【０００３】
従来、このチムニに関しては、ステンレス鋼等からなる板材が格子状に組まれると共に、各板材が交差する箇所を溶接することで一体に形成するものがある（例えば、特許文献２参照）。また、他のチムニとしては、ステンレス鋼等からなる角管が千鳥状に配置されると共に、その上下を格子状支持板で挟み込むことで一体に形成するものがある（例えば、特許文献３参照）。
【先行技術文献】
【特許文献】
【０００４】
【特許文献１】特公平７−２７０５１号公報
【特許文献２】特許第４５００２７６号公報
【特許文献３】特許第４８５１８１１号公報
【発明の概要】
【発明が解決しようとする課題】
【０００５】
従来の自然循環式沸騰水型原子炉におけるチムニは、板材或いは角管により流路隔壁が形成されているが、この流路隔壁には、炉心側から冷却材の気液二相流が流れ込むことによる流体励起振動、或いは地震により発生する水平方向の荷重が作用するため、この荷重に耐えうるような構造健全性が要求される。【０００６】
そして、このチムニの流路隔壁の構造健全性を向上させるために、一般には、流路隔壁を形成する部材を厚くするか、或いは流路隔壁が形成する流路面積を小さくすることが行われており、これにより、チムニの流路隔壁の構造健全性の向上を実現可能としている。【０００７】
しかしながら、チムニの流路隔壁を形成する部材を厚くすることでは、チムニの製作コストが増大するだけでなく、チムニの総重量が増大してしまい、チムニの取り扱いにおいては、炉内への据付け及び作業上の問題を発生させることになる。また、チムニの流路隔壁で形成される流路面積を小さくする場合においても、チムニの流路隔壁の総数が増大してしまい、上述した場合と同様の問題を生じることになる。【０００８】
本発明は上述の点に鑑みなされたもので、その目的とするところは、流動励起振動や地震等による水平方向の荷重に耐えうる構造健全性が得られる自然循環式沸騰水型原子炉及びそのチムニを提供することにある。
【課題を解決するための手段】
【０００９】
本発明の自然循環式沸騰水型原子炉のチムニは、上記目的を達成するために、原子炉圧力容器の内部に設置され、炉心で発生した気液二相流を前記原子炉圧力容器の上方へ導く複数の流路から成り、各々の前記流路は、最下部がチムニ格子板により支持されている複数の流路隔壁により区画されて形成されると共に、隣接する前記流路の流路隔壁間には、互いに水平方向の荷重を支持し合うチムニスペーサが設置され、かつ、前記チムニ格子板に支持されている複数の前記流路の最外周には、水平方向の荷重を支持するリング状部材が、前記チムニ格子板の上方に所定間隔をもって複数個設置されていることを特徴とする。
【００１０】
また、複数の前記流路は、複数の前記流路隔壁により区画された断面矩形の角管で形成されると共に、それぞれが前後左右方向に対して１つ置きに配置され、かつ、隣接する前記角管の流路隔壁間の角部に断面十字形の前記チムニスペーサが設置されていることを特徴とする
また、複数の前記流路は、複数の前記流路隔壁により区画された断面矩形の角管で形成されると共に、それぞれが前後左右方向に対して１つ置きに配置され、かつ、隣接する前記角管の流路隔壁間の角部に断面長方形の前記チムニスペーサが設置されていることを特徴とする。【００１１】
また、前記チムニスペーサは、軸方向に所定の間隔をもって複数個設置されていることを特徴とする。【００１２】
また、前記チムニスペーサは、前記リング状部材と同一平面上に設置されていることを特徴とする。【００１６】
また、複数の前記流路隔壁のうち、最外周に設置されて前記リング状部材に支持される部分が切断され、該流路隔壁の切断端部がチムニサポートプレートを介して前記リング状部材に支持されていることを特徴とする。【００１７】
また、複数の前記流路隔壁がチムニプレートにより形成され、複数の前記流路は、前記チムニプレートにより区画された断面矩形に形成され、かつ、隣接する前記チムニプレート間の角部に断面十字形の前記チムニスペーサが設置されていることを特徴とする。【００１８】
また、複数の前記流路を形成する前記チムニプレートのうち、最外周に位置して前記リング状部材に支持される部分が切断され、該チムニプレートの切断端部がチムニサポートプレートを介して前記リング状部材に支持されていることを特徴とする。【００１９】
また、前記チムニスペーサは、前記リング状部材と同一平面上にのみ設置されていることを特徴とする。【００２０】
また、前記リング状部材は、その上下方向に貫通して設けられた複数の孔部を有し、該孔部にチムニロッドが差込まれ、そのチムニロッドの下端が、下方に設置されている前記チムニ格子板に締結されることで固定されていることを特徴とする。【００２１】
更に、本発明の自然循環式沸騰水型原子炉は、上記目的を達成するために、原子炉圧力容器と、該原子炉圧力容器内に設置され、複数の燃料集合体が装荷されている炉心と、該炉心の周囲を囲う炉心シュラウドと、前記炉心の上部を構成する格子板と、該格子板上に立設されているチムニと、該チムニの上部に設置された気水分離器と、該気水分離器の上部に設置された蒸気乾燥器とを備え、前記チムニは、上記構成の自然循環式沸騰水型原子炉のチムニであることを特徴とする。
【発明の効果】
【００２２】
本発明によれば、流動励起振動や地震等による水平方向の荷重に耐えうる構造健全性が得られる効果がある。
【図面の簡単な説明】
【００２３】
【図１】本発明の自然循環式沸騰水型原子炉の実施例１における全体構成を示す断面図である。
【図２】本発明の自然循環式沸騰水型原子炉のチムニの実施例１を示す斜視図である。
【図３】図２の正面図である。
【図４】図３のｃｓ１−ｃｓ１線に沿う断面図である。
【図５】図３のｃｓ２−ｃｓ２線に沿う断面図である。
【図６】図４のＬ１領域の拡大図である。
【図７】本発明の自然循環式沸騰水型原子炉のチムニの実施例２を示す斜視図である。
【図８】図７の平面図である。
【図９】図８のＬ２領域の拡大図である。
【図１０】本発明の自然循環式沸騰水型原子炉のチムニの実施例３を示す斜視図である。
【図１１】本発明の自然循環式沸騰水型原子炉のチムニの実施例４を示す斜視図である。
【図１２】図１１の平面図である。
【図１３】図１２のＬ３領域の拡大図である。
【発明を実施するための形態】
【００２４】
以下、図示した実施例に基づいて本発明の自然循環式沸騰水型原子炉及びそのチムニについて説明する。なお、符号は、各実施例において同一構成部品は同符号を使用する。
【実施例１】
【００２５】
図１に、本発明の自然循環式沸騰水型原子炉の実施例１における全体構成を示す。該図に示す如く、本実施例の自然循環式沸騰水型原子炉１は、原子炉圧力容器２に、複数の燃料集合体３が装荷されている炉心４と、炉心４の外周囲を囲う筒状の炉心シュラウド５と、炉心４の上部を構成している上部格子板６と、上部格子板６上に立設してある筒状のチムニ７と、このチムニ７上に装備されて該チムニ７の上端を覆うスタンドパイプ付きに気水分離器８と、この気水分離器８を下部のスカート部で囲うように該気水分離器８の上方に装備された蒸気乾燥器９とを、炉内構造物として内蔵している。また、原子炉圧力容器２には、蒸気出口ノズル１０と給水入口ノズル１１とが装備されている。【００２６】
そして、原子炉圧力容器２内に収納されている炉心４から気液二相流となって送り出される冷却材（図１中の矢印Ａ）を、チムニ７を介して原子炉圧力容器２の上方に導き（図１中の矢印Ｂ）、この原子炉圧力容器２の上方に導かれた密度の低い冷却材と、給水入口ノズル１１から給水される給水と混合された液相の冷却材との比重差によって自然循環に必要な駆動力を得るものである。上記の原子炉圧力容器２内における冷却材の自然循環を促進させるために、チムニ７を備えている。【００２７】
このチムニ７は、後で詳述するが、図１に示すように、チムニ胴７ｈと、チムニ格子板７ａと、チムニ流路隔壁７ｃを形成する角管１２と、チムニサポートリング７ｄと、チムニスペーサ７ｅと、チムニサポートプレート７ｆと、チムニロッド７ｇとで主に構成されている。【００２８】
上記のチムニ胴７ｈは、図１に示すように、原子炉圧力容器２の内部で炉心４の上方に設置されており、円筒状の部材で形成され、円筒状の原子炉圧力容器２と同心となるように設置されている。【００２９】
次に、チムニ７の実施例１の詳細構造について、図２乃至図６を用いて説明する。図２は、チムニ胴７ｈを除いた構造を示す。【００３０】
図に示す如く、本実施例のチムニ７は、図１に示す原子炉圧力容器２内の内部に設置され、炉心４で発生した気液二相流を原子炉圧力容器２の上方へ導く複数の流路１３から成り、各々の流路１３は、その最下部がチムニ格子板７ａにより支持されている複数のチムニ流路隔壁７ｃにより区画されて形成されると共に、隣接する流路１３のチムニ流路隔壁７ｃ間には、互いに水平方向の荷重を支持し合う断面十字形のチムニスペーサ７ｅが配置され、かつ、チムニ格子板７ａに支持されている複数の流路１３の最外周には、水平方向の荷重を支持するリング状部材であるチムニサポートリング７ｄが配置されている。
【００３１】
詳述すると、チムニ格子板７ａは、チムニ胴７ｈの内側に、複数のチムニ流路隔壁７ｃを支持するために、チムニ流路隔壁７ｃの下部に設けられ、チムニ胴７ｈと同心となるように設置されている。このチムニ格子板７ａは、チムニ胴７ｈの内側のフランジ上に設置されている。また、チムニ格子板７ａは、図５に示すように、炉心４から送られてくる気液二相流が通過するためのチムニ格子板孔部７ｂを多数有している。【００３２】
また、複数の流路１３は、複数のチムニ流路隔壁７ｃにより区画された断面矩形（四角形）の角管１２で形成され、各角管１２は、図２に示すように、前後左右方向（平面方向）に対して１つ置きに配置されると共に、斜め左右方向に連続して千鳥状に配置され、それぞれの角管１２が規則正しく、チムニ格子板７ａから上部方向に向けて垂直に延びて複数個配置されている。この角管１２は、チムニ格子板孔部７ｂに、１つ置きに差込まれ、端部をチムニ格子板孔部７ｂに溶接固定されている。なお、角管１２は、チムニ格子板孔部７ｂに差込まず、チムニ格子板孔部７ｂを囲むように、チムニ格子板７ａの上に載せて溶接にて固定しても良い。【００３３】
なお、図５に示すように、チムニ格子板７ａの最外周部に配置された角管１２の側面は、その角管１２が配置されたチムニ格子板孔部７ｂの形状に合わせて、その上下方向において切断されている。【００３４】
更に、本実施例では、図４及び図６に示すように、隣接する角管１２の角部（チムニ流路隔壁７ｃ間の角部）の隙間には、水平方向の荷重を支持し合う断面十字形のチムニスペーサ７ｅが設置され、角管１２の上下方向に渡って数ヶ所で溶接により固定されている。このチムニスペーサ７ｅにより、隣り合う角管１２同士は、互いに水平方向の動きを拘束し合うことになる。【００３５】
また、本実施例では、水平方向の荷重を支持する複数のチムニサポートリング７ｄが、角管１２の上下方向に所定間隔をもって複数（本実施例では、角管１２の最上部と中間部の２箇所）配置されており、このチムニサポートリング７ｄは、上記したチムニスペーサ７ｅが設置されている全ての位置と同一（ここで言う同一とは、製作誤差等による多少のずれも含むものとする）平面上に設置されている。【００３６】
また、図６に示すように、複数のチムニ流路隔壁７ｃのうち、最外周に位置してチムニサポートリング７ｄに支持される部分の側面が切断され、この切断されたチムニ流路隔壁７ｃの切断端部は、チムニサポートリング７ｄとの間に隙間なく設置されたチムニサポートプレート７ｆを介してチムニサポートリング７ｄに接続されている。このため、チムニサポートリング７ｄは、チムニ７を構成する全ての角管１２に対して、チムニサポートプレート７ｆとチムニスペーサ７ｅを介することで、水平方向の動きを拘束することになる。【００３７】
また、全てのチムニサポートリング７ｄは、その上下方向に貫通するように設けられた複数のチムニロッド７ｇ用の孔部を有し、この孔部にチムニロッド７ｇが複数個所差し込まれ、貫通部分でチムニロッド７ｇがチムニサポートリング７ｄに溶接により固定される。一方、チムニロッド７ｇの下端は、チムニ格子板７ａの上下方向に設けられた孔部に差し込まれ、溶接により固定される。【００３８】
これにより、チムニサポートリング７ｄは、チムニ格子板７ａにより水平方向において拘束力を受けることになる。【００３９】
このように、本実施例においては、従来のようにチムニ流路隔壁７ｃの上下に設置された格子状支持板のみにより、チムニ流路隔壁７ｃの水平方向の荷重を支持するのではなく、チムニ流路隔壁７ｃの下方に設置されたチムニ格子板７ａと、このチムニ格子状板７ａの上方に複数設置されたチムニサポートリング７ｄと、チムニスペーサ７ｅと、チムニサポートプレート７ｆにより、水平方向の荷重に対する支持をすることになるため、炉心側から冷却材の気液二相流が流れ込むことによる流体励起振動、或いは地震により発生する水平方向の荷重に耐えうる構造健全性が得られる効果がある。【００４０】
また、本実施例においては、チムニ流路隔壁７ｃの水平方向の荷重を、その上下方向の複数箇所において支持できる構造であるため、従来のチムニ構造に比べて構造健全性を向上することができる。【００４１】
また、チムニ格子板７ａに角管１２を設置するための溶接部が半減することにより、溶接熱による角管１２が受ける熱変形量が低減される。【００４２】
更に、重量物であるチムニ格子板７ａを１つしか設置しないことにより、チムニ７の全重量を低減することも可能となり、原子炉圧力容器２内への据付時、或いは取り外し時の操作性も改善されることとなる。【００４３】
加えて、チムニロッド７ｇを最上方のチムニサポートリング７ｄから最下方のチムニ格子板７ａに通して溶接することにより、チムニ７を原子炉圧力容器２への吊り込み時或いは吊り出し時に、最上方のチムニサポートリング７ｄに吊り治具を取り付けた場合であっても、チムニロッド７ｇの上部に吊り具を取付けることで、チムニ７の全重量を、最も構造強度の高いチムニ格子板７ａにより支持できるので、安全性が確保される。【００４４】
なお、本実施例では、流路１３として、複数のチムニ流路隔壁７ｃにより区画された断面矩形（四角形）の角管１２の例について説明したが、これに限定されるものではなく、例えば、断面が多角形や円形等であっても、管状を形成していれば同様な効果があることは言うまでもない。また、本実施例では、チムニスペーサとして断面十字形、或いは断面長方形の例について説明したが、この形状に限定されないことは言うまでもない。
【実施例２】
【００４５】
図７乃至図９に、本発明の自然循環式沸騰水型原子炉のチムニの実施例２を示す。該図に示す本実施例は、実施例１の構成と略同様な構成であり、実施例１と比較し、チムニスペーサの形状と角管への取り付けの仕方が異なっている。その他の構成は、実施例１と同様である。【００４６】
即ち、本実施例では、図８及び図９に示すように、隣接する角管１２の角部（チムニ流路隔壁７ｃ間の角部）に、互いに水平方向の荷重を支持し合う断面長方形のチムニスペーサ７ｊが設置され、角管１２の上下方向に渡って数ヶ所で溶接により固定されている。【００４７】
つまり、図９に示すように、チムニ流路隔壁７ｃを形成する角管１２において、チムニスペーサ７ｊが設置される角部が機械加工により削り込まれ、ここにチムニスペーサ７ｊが嵌め込まれ、この状態で溶接により固定されるものである。このチムニスペーサ７ｊにより、隣り合う角管１２同士は、互いに水平方向の動きを拘束し合うことになる。【００４８】
このような本実施例の構成とすることにより、実施例１と同様な効果が得られることは勿論、実施例１に比べ、チムニ流路隔壁７ｃを形成する角管１２に作用する水平方向の荷重に対する構造健全性を損なうことなく、この隣り合う角管１２の隙間が狭くなったとしても、チムニスペーサ７ｊを取り付けることができる。また、チムニスペーサ７ｊの形状も単純化することが可能であるため、製作コストを低減することも可能となる。
【実施例３】
【００４９】
図１０に、本発明の自然循環式沸騰水型原子炉のチムニの実施例３を示す。【００５０】
該図に示す本実施例は、実施例１ではチムニ流路隔壁７ｃの最上方に設置されていたチムニサポートリング７ｄに代えて、チムニ格子板７ａをチムニ流路隔壁７ｃの最上部に設置し、このチムニ格子板７ａにより、角管１２の最上方が拘束される構造となっている点が異なっている。その他の構成は、実施例１と同様である。【００５１】
即ち、本実施例では、図１０に示すように、最下部がチムニ格子板７ａにより支持されている複数のチムニ流路隔壁７ｃの最上部が別のチムニ格子板７ａ´で支持され、チムニサポートリング７ｄは、最下部のチムニ格子板７ａと最上部のチムニ格子板７ａ´の間の中間に設置されている。そして、チムスペーサ７eは、チムニ流路隔壁７ｃ最下部のチムニ格子板７ａと最上部のチムニ格子板７ａ´の間の中間に設置されたチムニサポートリング７ｄと同一（ここで言う同一の定義は、実施例１と同様である）平面上に設置されているものである。【００５２】
このような本実施例の構成とすることにより、実施例１と同様な効果が得られることは勿論、実施例１に比べ、構造強度の高いチムニ格子板７ａを１つ追加するだけで、更にチムニ７の構造健全性を向上することが可能となる。【００５３】
なお、本実施例では、チムニサポートリング７ｄが、最下部のチムニ格子板７ａと最上部のチムニ格子板７ａ´の間の中間に設置されている例について説明したが、これに限定されるものではなく、最下部のチムニ格子板７ａと最上部のチムニ格子板７ａ´の間に、複数のチムニサポートリング７ｄを配置しても良いことは勿論である。
【実施例４】
【００５４】
図１１乃至図１３に、本発明の自然循環式沸騰水型原子炉のチムニの実施例４を示す。【００５５】
該図に示す本実施例は、実施例１と比較し、チムニ流路隔壁７ｃの構成の仕方が異なっている。その他の構成は、実施例１と同様である。【００５６】
即ち、本実施例では、複数のチムニ流路隔壁７ｃが板材のチムニプレート７ｉにより形成され、複数の流路１３は、この板材のチムニプレート７ｉにより区画された断面矩形に形成され、かつ、隣接するチムニプレート７ｉ間の角部に断面十字形のチムニスペーサ７eが設置されているものである。【００５７】
そして、本実施例では、水平方向の荷重を支持するリング状部材である複数のチムニサポートリング７ｄが、チムニ流路隔壁７ｃの上下方向に所定間隔をもって複数（本実施例では、チムニ流路隔壁７ｃの最上部と中間部の２箇所）配置されており、このチムニサポートリング７ｄは、上記したチムニスペーサ７ｅが設置されている全ての位置と同一（ここで言う同一の定義は、実施例１と同様である）平面上にのみ設置されている。また、複数の流路１３を形成するチムニプレート７ｉのうち、最外周に位置してチムニサポートリング７ｄに支持される部分が切断され、チムニプレート７ｉの切断端部がチムニサポートプレート（図示せず）を介してチムニサポートリング７ｄに支持されている。【００５８】
上述したチムニ流路隔壁７ｃは、チムニ格子板７ａの上面に、チムニ格子板穴部７ｂを囲むようにチムニプレート７ｉの下端を溶接により固定されている。【００５９】
このように本実施例では、チムニプレート７ｉは、その上下方向の上端及び中段に設置されるチムニサポートリング７ｄと、チムニスペーサ７ｅにより水平方向を拘束される。具体的には、図１３に示すように、このチムニプレート７ｉは、隣り合うチムニプレート７ｉとの間にチムニスペーサ７ｅを溶接にて接続することで、拘束し合う構造となっている。【００６０】
また、チムニ格子板７ａの最外周のチムニプレート７ｉは、その水平方向の端部にチムニサポートプレート（図示省略）を介することで、チムニサポートリング７ｄに接続されているので、全てのチムニプレート７ｉは、チムニサポートリング７ｄによる水平方向の拘束をうけることになる。【００６１】
従って、本実施例の構成とすることにより、実施例１と同様な効果が得られることは勿論、チムニプレート７ｉは、その上下方向において、全周溶接されるのではなく、チムニスペーサ７ｅの取り付け部分でのみ、隣り合うチムニプレート７ｉと溶接されるために、チムニプレート７ｉを用いて、チムニ流路隔壁７ｃを構成する場合においても、溶接熱による熱変形量を抑制することができる。【００６２】
更に、チムニプレート７ｉの端部においては、チムニ格子板７ａ及びチムニスペーサ７ｅと溶接される箇所を除いては、表面仕上げの程度も要求が低くなるために、製造コストも低減することが可能となる。【００６３】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００６４】
１…自然循環式沸騰水型原子炉、２…原子炉圧力容器、３…燃料集合体、４…炉心、５…炉心シュラウド、６…上部格子板、７…チムニ、７ａ、７ａ´…チムニ格子板、７ｂ…チムニ格子板孔部、７ｃ…チムニ流路隔壁、７ｄ…チムニサポートリング、７ｅ、７ｊ…チムニスペーサ、７ｆ…チムニサポートプレート、７ｇ…チムニロッド、７ｈ…チムニ胴、７ｉ…チムニプレート、８…気水分離器、９…蒸気乾燥器、１０…蒸気出口ノズル、１１…給水入口ノズル、１２…角管、１３…流路。
【図１】
0005898783.tif 000002
【図２】
0005898783.tif 000003
【図３】
0005898783.tif 000004
【図４】
0005898783.tif 000005
【図５】
0005898783.tif 000006
【図６】
0005898783.tif 000007
【図７】
0005898783.tif 000008
【図８】
0005898783.tif 000009
【図９】
0005898783.tif 000010
【図１０】
0005898783.tif 000011
【図１１】
0005898783.tif 000012
【図１２】
0005898783.tif 000013
【図１３】
0005898783.tif 000014